(57)【要約】【課題】セット側の電源供給能力に合わせた消費電力で表示動作を制御することのできる表示装置を提供する。【解決手段】自発光素子ＥＬを基板上にマトリクス状に配置した表示パネルＤＰと、入力される映像データに基づいて前記自発光素子の発光を制御する制御部ＣＮＴＬとを有し、前記制御部は、前記表示パネルの現在の消費電力を把握し、前記現在の消費電力が第１のリミット値Ｍｉｎ以上の場合には、入力される映像データの階調よりも低い階調の映像データを表示するように制御する、表示装置である。【選択図】図２
2015087709.tif 000002
【特許請求の範囲】
【請求項１】
自発光素子を基板上にマトリクス状に配置した表示パネルと、
入力される映像データに基づいて前記自発光素子の発光を制御する制御部とを有し、
前記制御部は、
前記表示パネルの現在の消費電力を把握し、前記現在の消費電力が第１のリミット値以上の場合には、入力される映像データの階調よりも低い階調の映像データを表示するように制御する、表示装置。
【請求項２】
前記制御部は、
前記現在の消費電力が前記第１のリミット値よりも大きい第２のリミット値以上の場合には、現フレームで以降の映像データを黒表示とするように制御する、請求項１に記載の表示装置。
【請求項３】
前記表示パネルの消費電力は、表示される映像データの階調値に前記自発光素子の電力換算係数を乗じて得られる電力値の総和であり、
前記電力換算係数は、色別の前記自発光素子毎に設けられる、請求項２に記載の表示装置。
【請求項４】
前記制御部は、前記現在の消費電力が第１のリミット値以上の場合には、入力される映像データの階調に１よりも小さいゲイン係数を乗算した階調の映像データを表示するように制御し、
前記ゲイン係数は、（第１のリミット値）／（現在の消費電力）で求められる、請求項３に記載の表示装置。
【請求項５】
前記第１のリミット値及び第２のリミット値は、書き換え可能になされる、請求項４に記載の表示装置。
【請求項６】
自発光素子を基板上にマトリクス状に配置した表示パネルと、
入力される映像データに基づいて前記自発光素子の発光を制御する制御部とを有し、
前記制御部は、
前記表示パネルの現在の消費電力を把握し、
前記現在の消費電力が第１のリミット値以上の場合には、入力される映像データの階調に１よりも小さい第１のゲイン係数を乗算した階調の映像データを表示するように制御し、
前記現在の消費電力が第１のリミット値よりも小さい場合には、入力される映像データの階調に第２のゲイン係数を乗算した階調の映像データを表示するように制御し、
前記第１のゲイン係数は（第１のリミット値）／（現在の消費電力）であり、
前記第２のゲイン係数は、
（第１のリミット値）＜（前フレームの消費電力）のときは、（第１のリミット値）／（前フレームの消費電力）であり、
（第１のリミット値）≧（前フレームの消費電力）のときは、１である、
表示装置。
【請求項７】
前記制御部は、
前記現在の消費電力が前記第１のリミット値よりも大きい第２のリミット値以上の場合には、現フレームで以降の映像データを黒表示とするように制御する、請求項６に記載の表示装置。
【請求項８】
前記表示パネルの消費電力は、表示される映像データの階調値に前記自発光素子の電力換算係数を乗じて得られる電力値の総和であり、
前記電力換算係数は、色別の前記自発光素子毎に設けられる、請求項７に記載の表示装置。
【請求項９】
前記第１のリミット値及び第２のリミット値は、書き換え可能になされる、請求項８に記載の表示装置。
【発明の詳細な説明】
【技術分野】
【０００１】
本発明の実施形態は、表示装置に関する。
【背景技術】
【０００２】
近年、薄型、軽量、低消費電力の特徴を活かして、液晶表示装置に代表される平面表示装置の需要が急速に伸びている。中でも、オン画素とオフ画素とを電気的に分離し、かつオン画素への映像信号を保持する機能を有する画素スイッチを各画素に設けたアクティブマトリクス型表示装置は、携帯情報機器を始め、種々のディスプレイに利用されている。
【０００３】
このような平面型のアクティブマトリクス型表示装置として、自己発光素子を用いた有機ＥＬ表示装置が注目され、盛んに研究開発が行われている。有機ＥＬ表示装置は、バックライトを必要とせず、高速な応答性から動画再生に適し、さらに低温で輝度低下しないために寒冷地での使用にも適しているという特徴を有している。
【０００４】
ところで、有機ＥＬ表示装置では画面内の表示輝度が高いほど多くの電力を消費する。そこで、消費電力を低減するための種々の技術が提案されている。例えば、特許文献１に記載の技術では、画面のうち視聴者の気付きにくい部分の輝度を低下させることで消費電力を低減するが、その際、視聴者が違和感を生じることがないように画像のコントラスト感を維持しながら消費電力を低減することのできる技術を開示している。
【先行技術文献】
【特許文献】
【０００５】
【特許文献１】特開２０１１−２５２０号公報
【発明の概要】
【発明が解決しようとする課題】
【０００６】
ところで、表示装置を供給する側（メーカ）と供給された表示装置を組み込んだセットを製造する側（メーカ）とが異なっているのが通常の態様である。しかしながら、従来の表示装置にはセット側の電源供給能力に柔軟に対応して電力制御を実行する機能は設けられていなかった。そこで、従来では、表示装置の消費電力に対応してセット側の電源容量を設計する必要があり、あるいはセット側の電源供給能力に収まるように表示装置の電力を設計する必要があった。
【０００７】
本発明は、上記事情に鑑みてなされたものであって、セット側の電源供給能力に合わせた消費電力で表示動作を制御することのできる表示装置を提供することを目的とする。
【課題を解決するための手段】
【０００８】
本発明の一態様は、自発光素子を基板上にマトリクス状に配置した表示パネルと、入力される映像データに基づいて前記自発光素子の発光を制御する制御部とを有し、前記制御部は、前記表示パネルの現在の消費電力を把握し、前記現在の消費電力が第１のリミット値以上の場合には、入力される映像データの階調よりも低い階調の映像データを表示するように制御する、表示装置である。
【図面の簡単な説明】
【０００９】
【図１】第１の実施の形態の表示装置および表示部（画素回路）の構成を示す図である。
【図２】第１の実施の形態における表示装置の電力リミット機能の動作を説明するための図である。
【図３】第１の実施の形態における表示装置の電力リミット機能の動作を説明するための図である。
【図４】第１の実施の形態における表示装置の電力リミット機能を実行するコントローラの構成を示す図である。
【図５】第１の実施の形態における表示装置の電力リミット部の処理手順を示すフロー図である。
【図６】第１の実施の形態における表示装置のリアルタイム電力を求める処理を示す図である。
【図７】第１の実施の形態における表示装置の電力メモリのデータ構造を示す図である。
【図８】第１の実施の形態における表示装置の輝度コントロール部の処理手順を示すフロー図である。
【図９】第１の実施の形態の表示装置における電力リミット機能の動作タイミングを示す図である。
【発明を実施するための形態】
【００１０】
［第１の実施の形態］  
図１は、第１の実施の形態の表示装置および表示部（画素回路）の構成を示す図である。図１に示すように、本実施の形態に係る表示装置は、アクティブマトリクス型の表示装置として構成され、表示パネルＤＰと、表示パネルＤＰの動作を制御するコントローラＣＮＴＬとを含んでいる。
【００１１】
表示パネルＤＰは、光透過性を有する絶縁基板であるガラス基板上に表示部を備えている。表示部には、行方向に沿って延線する複数のゲート線ＳＧ、列方向に沿って延線する複数の信号線ＳＬが設けられ、それらのゲート線ＳＧ及び信号線ＳＬで囲まれるそれぞれの領域内に、それぞれＲＧＢ各色に発光するＥＬ（Electroluminescence）素子と、それぞれのＥＬ素子を駆動する画素回路を備えている。なお、図１に示す表示装置の解像度は、７２０ＲＧＢ×１２８０ラインである。
【００１２】
図１に示す画素回路は基本的な動作を説明するために簡略化して記載している。画素回路は、画素スイッチＳＳＴ、駆動トランジスタＤＲＴ、及び補助容量Ｃｓを備えている。
【００１３】
画素回路において、駆動トランジスタＤＲＴの第１端子は高電位電源線Ｐｖｄｄ（高電位電源）と電気的に接続し、駆動トランジスタＤＲＴの第２端子は補助容量Ｃｓを介して駆動トランジスタＤＲＴの制御端子と電気的に接続する。また、駆動トランジスタＤＲＴの第２端子はＥＬ素子のアノード電極と電気的に接続し、ＥＬ素子のカソード電極は低電位電源線Ｐｖｓｓ（低電位電源）と電気的に接続している。
【００１４】
そして、画素スイッチＳＳＴの第１端子は信号線ＳＬと電気的に接続し、画素スイッチＳＳＴの第２端子は駆動トランジスタＤＲＴの制御端子と電気的に接続し、画素スイッチＳＳＴの制御端子はゲート線ＳＧと電気的に接続している。
【００１５】
ここで、ゲート線ＳＧは、表示部の左右に配置されたＳＧ走査回路によって駆動され、信号線ＳＬは、表示パネルＤＰの下部に配置されたコントローラＣＮＴＬによって駆動される。なお、コントローラＣＮＴＬは、後述するシステムドライバＩＣ内に設けられている。
【００１６】
表示パネルＤＰの端部にはフレキシブル・プリント基板（ＦＰＣ）が設けられ、このフレキシブル・プリント基板を介して映像信号、同期信号、各種コマンド信号などがセット側のシステムとの間で通信される。システムドライバＩＣはこれらの信号を受けてＳＧ走査回路への制御信号の生成を行うとともに、ディジタル映像信号をＤ／Ａ変換して信号線ＳＬにアナログの映像信号Ｖｓｉｇを供給する。
【００１７】
ｎライン目のゲート線ＳＧ（ｎ）がハイレベル“Ｈ”となることで接続された画素スイッチＳＳＴが導通し、システムドライバＩＣから出力された映像信号Ｖｓｉｇは補助容量Ｃｓに書き込まれる。これによって、ＥＬ駆動用トランジスタＤＲＴが導通してＥＬ電源であるＰｖｄｄ、Ｐｖｓｓ間に電流が流れることでＥＬ素子が発光する。このときに流れる電流の大きさは、補助容量Ｃｓの電位、即ち映像信号Ｖｓｉｇに対応する。
【００１８】
ＥＬ素子の明るさは、ＥＬ素子に流れる電流値に比例し、ＥＬ電流は映像信号Ｖｓｉｇによって制御される。従って映像信号Ｖｓｉｇの電圧が高いほどＥＬ電流が増加してＥＬ素子は明るく発光する。従って、ＥＬ素子の輝度が高いほど消費される電力は大きい。ここで、ＥＬ素子を発光させるための電源電圧ＰｖｄｄおよびＰｖｓｓはセット側から直接供給されるか、あるいはセット側から供給された別の電源から表示装置内部で生成する。また、セット側の電源供給能力は、製品サイズまたはバッテリー持続時間、セットの発熱量など様々な要因によって制限を受けることがあり、ＥＬ素子を十分に発光するだけの電力を供給できないケースも考えられる。いずれにせよセット側の電源供給能力に収まるように表示装置の電力を制御することが必要である。
【００１９】
次に本実施の形態の表示装置における電力制御方法について説明する。本実施の形態では表示装置側に電力リミット機能を設けてセット側の電源能力の範囲内で表示装置を駆動することができるように構成している。
【００２０】
図２は、第１の実施の形態における表示装置の電力リミット機能の動作を説明するための図である。
【００２１】
図２（ａ）は、入力画像と表示画像とを示している。ここで入力画像とはセット側から送られてくる映像データを画像化したもので、表示画像とは入力画像に対して電力リミット機能を作用させた時に表示される画像である。図２（ｂ）は、上述の表示画像を表示する際に表示装置が消費する電力の時間推移を示している。図２（ｃ）は、電力リミット機能に用いられるパラメータＧａｉｎ（ゲイン）の時間推移を示している。
【００２２】
第１の実施の形態では、電力リミット機能を実行する際の電力（ｐｏｗｅｒ）の閾値として「電力リミットＭａｘ」、「電力リミットＭｉｎ」を設けている。「電力リミットＭａｘ」は、表示装置で使用が認められる電力の最大値であり、セット側の電源能力に対応した値である。「電力リミットＭｉｎ」は、表示装置がリミット制御を開始するタイミングを与える電力値である。表示装置の電力が「電力リミットＭｉｎ」を越えたときは、表示装置は電力が「電力リミットＭａｘ」を超えないように映像信号Ｖｓｉｇの制御を実行する。
【００２３】
１フレーム目の入力画像は暗い画像であるため、消費電力は電力リミットＭｉｎより低い値である。そのため、入力画像にＧａｉｎ＝１を乗算した画像データが表示画像として使用される。即ち、入力画像はそのまま表示される。次に２フレーム目で入力画像が明るい画像に切替わった場合、表示画像が順次走査されて明るい画像に置き換えられるにつれて、消費電力は急激に増加して、２フレーム目の表示途中で消費電力は電力リミットＭｉｎに到達する。
【００２４】
消費電力が電力リミットＭｉｎを超えると、コントローラＣＮＴＬはセット側から送られる入力データＲ＿ｉｎ／Ｇ＿ｉｎ／Ｂ＿ｉｎに１未満のＧａｉｎを乗算したデータを表示データとする。そのため以降は、入力画像より暗い画像が表示され電力の増加は緩やかになる。
【００２５】
次の３フレーム目では、１つ前のフレーム（２フレーム目の）入力画像データを１フレーム期間にわたって積算した値を電力換算して、その値が電力リミットＭｉｎ値を超えないような１未満のＧａｉｎを乗算した画像データを表示する。このように３フレーム目の入力画像に予め１未満のＧａｉｎが乗算された画像が表示画像とされるので、入力画像よりも暗い画像が表示される。
【００２６】
図３は、第１の実施の形態における表示装置の電力リミット機能の動作を説明するための図である。図３では、セット側から送られてくる入力画像（映像データ）は同じあるが、電力リミット値は図２のケースよりも低く設定した場合の動作を示している。
【００２７】
２フレーム目では、消費電力が電力リミットＭｉｎを超過後は入力される画像データに１未満のＧａｉｎが乗算されることにより電力増加は緩やかになるものの、消費電力は上昇を続け電力リミットＭａｘ値を超過する。そして消費電力が電力リミットＭａｘ値を超過した場合にはこれ以上の電力の増加を防ぐため、以降の表示ラインでは画像データを黒にマスクして（画像データを黒レベル“Ｌ”のデータに変換して）ＥＬ素子の発光を止める。このため、表示画像では黒表示の領域が生じている。
【００２８】
次の３フレーム目では、１つ前のフレーム（２フレーム目の）入力映像データを１フレーム期間にわたって積算した値を電力換算して、その値が電力リミットＭｉｎ値を超えないような１未満のＧａｉｎを乗算した映像データを表示する。このように３フレーム目の入力画像に予めＧａｉｎが乗算された画像が表示画像とされるので、入力画像よりも暗い画像が表示される。
【００２９】
次に電力リミット機能の動作について詳細に説明する。
【００３０】
図４は、第１の実施の形態における表示装置の電力リミット機能を実行するコントローラＣＮＴＬの構成を示す図である。コントローラＣＮＴＬは、電力リミット部１０、輝度コントロール部１１、制御定数テーブル２０、電力メモリ２１及びバッファメモリ２２を備えている。
【００３１】
電力リミット部１０は、セット側から入力された映像入力データＲＧＢ＿ｉｎを処理して、LimitMaxFlg（電力リミットＭａｘ超過の有無フラグ）、Gain_next（次フレームのゲイン）およびGain_now（現フレームのゲイン）を求めて、輝度コントロール部１１に処理データとして出力する。輝度コントロール部１１は、電力リミット部１０から出力された処理データを用いて、映像入力データＲＧＢ＿ｉｎを処理して映像出力データＲＧＢ＿ｏｕｔを求める。この映像出力データＲＧＢ＿ｏｕｔが映像信号Ｖｓｉｇに対応する。また、輝度コントロール部１１は、ゲイン（Ｇａｉｎ）を求め、電力リミット部１０に出力する。
【００３２】
電力リミット部１０は、映像入力データＲＧＢ＿ｉｎの処理に際しては、制御定数テーブル２０及び電力メモリ２１に格納されたデータを参照する。
【００３３】
制御定数テーブル２０には、定数として「電力換算係数」、「電力リミットＭａｘ」、「電力リミットＭｉｎ」が格納されている。これらの値は、セット側の電源供給能力に基づいて決定される。そしてこれらの値は、書き換え可能に構成されている。
【００３４】
電力メモリ２１には、現在表示されている画面の１ラインごとの電力値が格納されている。バッファメモリ２２には、電力リミット部１０が処理を実行する際に使用する一時的なデータが格納されている。
【００３５】
図５は、第１の実施の形態における表示装置の電力リミット部１０の処理手順を示すフロー図である。なお電力リミット部１０は、以下に説明する処理手順を実現する処理ブロックとしても構成することができる。
【００３６】
ステップＳ０１において、電力リミット部１０は映像入力データＲＧＢ＿ｉｎが１ライン入力される毎に、式（１）に従って、１ラインのＲ／Ｇ／Ｂディジタルデータの各色の総和（Rline、Gline、Bline）を求める。ここで、ＲＧＢ＿ｉｎは階調データである。
【００３７】
Rline=ΣRin(1〜720ト゛ット)  
Gline=ΣGin(1〜720ト゛ット)  
Bline=ΣBin(1〜720ト゛ット)                            ・・・式（１）
ステップＳ０２において、電力リミット部１０は各色の総和を、式（２）に従って、各色の電力（Rpower、Gpower、Bpower）に換算する。なお、電力換算係数Ｒｃ、Ｇｃ、Ｂｃは、各色のＥＬ素子の発光効率に基づいて定められている。
【００３８】
Rpower=Rline * 電力換算係数Ｒｃ  
Gpower=Gline * 電力換算係数Ｇｃ  
Bpower=Bline * 電力換算係数Ｂｃ                    ・・・式（２）
そして、電力リミット部１０は、式（３）に従って、各色の電力を加算してライン電力（line_power）を求める。  
line_power=Rpower + Gpower + Bpower                ・・・式（３）
[次フレームゲイン（Gain_next）の算出]  
電力リミット部１０は、ステップＳ０５、Ｓ０６において、Gain_next（次フレームのゲイン）を算出する。
【００３９】
ステップＳ０５において、電力リミット部１０は、１フレーム期間にわたりライン電力line_powerを積算して１画面の電力（frame_power）を求める。  
frame_power=Σline_power(1〜1280ライン)       ・・・式（４）
ステップＳ０６において、電力リミット部１０は、制御定数テーブル２０の設定された電力リミットＭｉｎ値(Limit_min)と上記frame_powerとから次フレームのゲイン（Gain_next）を式（５）により求める。求めた次フレームのゲイン（Gain_next）は、輝度コントロール部１１に出力される。
【００４０】
Gain_next=(Limit_min) / (frame_power)      ・・・式（５）  
但しLimit_min≧frame_powerの時はGain_next=1とする。
【００４１】
[リアルタイム電力の算出]  
電力リミット部１０は、上述の次フレームゲインの算出処理と並行して、映像入力データＲＧＢ＿ｉｎが１ライン入力される毎に、ステップＳ１０〜Ｓ１２において、現在の消費電力であるリアルタイム電力を算出する。
【００４２】
ステップＳ１０において、電力リミット部１０は、輝度コントロール部１１からフィードバックされたＧａｉｎ値をライン電力（line_power）に乗算した電力値（line_power_gain）を求める。  
line_power_gain=line_power * Gain          ・・・式（６）
輝度コントロール部１１からフィードバックされたＧａｉｎは、現在表示部に表示しようとする映像入力データＲＧＢ＿ｉｎに適用される値である。
【００４３】
ステップＳ１１において、電力リミット部１０は、現在表示している画面の電力（リアルタイム電力）を求める。
【００４４】
図６は、第１の実施の形態における表示装置のリアルタイム電力を求める処理を示す図である。
【００４５】
ステップＳ０１、Ｓ０２の処理は既に説明しているため、再度の説明は省略する。また、ステップＳ１０で求めた電力値（line_power_gain）は、ｍフレーム、ｎライン目の電力値であるとする。  
line_power_gain(m,n)=line_power * Gain          ・・・式（７）
図７は、第１の実施の形態における表示装置の電力メモリ２１のデータ構造を示す図である。
【００４６】
電力メモリ２１には、表示部のライン数（１〜１２８０）に対応した１２８０ワードのエリアが設けられ、それぞれのワードには、現在表示されているライン毎の電力（line_power_gain）が格納されている。図７に示す例では、１〜（ｎ−１）ワードにはｍフレーム目の１〜（ｎ−１）ラインの電力が格納され、ｎ〜１２８０ワードには（ｍ−１）フレーム目のｎ〜１２８０ラインの電力が格納されている。また、電力メモリ２１には、下記で説明する「現在のフレーム電力」が格納されている。
【００４７】
この図７に示す状態において、１〜１２８０ワードの合計値を、ｍフレーム、（ｎ−１）ライン目を格納時の現在のフレーム電力（frame_power_now(m,n-1)）と呼ぶ。  
frame_power_now(m,n-1)=Σline_power_gain          ・・・式（８）  
図６のステップＳ１１において、電力リミット部１０は、電力メモリ２１を検索して、ｍフレーム、ｎライン目を格納時の現在のフレーム電力（frame_power_now(m,n)）を式（９）に基づいて計算する。これによって現在のフレーム電力（リアルタイム表示電力）を求めることができる。
【００４８】
frame_power_now(m,n)=frame_power_now(m,n-1)
- line_power_gain(m-1,n)
+ line_power_gain(m,n)       ・・・式（９）
式（９）で用いられる１フレーム前（ｍ−１）のライン電力line_power_gain(m-1,n)は１２８０ｗｏｒｄからなる電力メモリ２１に格納されている。また、現フレーム（ｍ）のライン電力line_power_gain(m,n)は上式計算後に電力メモリ２１に格納されていたline_power_gain(m-1,n)と置き換えられる。同様に現在のフレーム電力（リアルタイム表示電力）についても最新の値に置き換えられる。
【００４９】
図５のステップＳ１２において、電力リミット部１０は、求めたリアルタイム電力を、電力リミットＭｉｎ値および電力リミットＭａｘ値と比較する。リアルタイム表示電力が電力リミットＭａｘ値を超過している場合にはLimitMaxFlg=”H”を輝度コントロール部１１に出力する。また、リアルタイム電力が電力リミットＭｉｎ値を超過しているか否かによって、式（１０）に示すGain_now（現フレームのゲイン）を輝度コントロール部１１に出力する。
【００５０】
Gain_now=(Limit_min) / (frame_power_now(m,n))      式（１０）  
但しLimit_min≧frame_power_nowの時はGain_now=1とする
図８は、第１の実施の形態における表示装置の輝度コントロール部１１の処理手順を示すフロー図である。なお輝度コントロール部１１は、以下に説明する処理手順を実現する処理ブロックとしても構成することができる。
【００５１】
ステップＳ２０において、輝度コントロール部１１はGain_now（現フレームのゲイン）が１よりも小さいかどうかを調べる。
【００５２】
Gain_nowが１の場合（Ｓ２０でＮＯ）、リアルタイム電力は電力リミットＭｉｎ値よりも小さいため、ステップＳ２１において、ゲイン（Ｇａｉｎ）にはGain_next（次フレームのゲイン）をセットする。
【００５３】
Gain_nowが１よりも小さい場合（Ｓ２０でＹＥＳ）、リアルタイム電力は電力リミットＭｉｎ値以上であるため、ステップＳ２１において、ゲイン（Ｇａｉｎ）にはGain_now（現フレームのゲイン）をセットする。
【００５４】
ステップＳ２４において、輝度コントロール部１１はLimitMaxFlgが“Ｈ”であるか否かを調べる。
【００５５】
LimitMaxFlgが“Ｈ”である場合（Ｓ４でＹＥＳ）は、リアルタイム表示電力が電力リミットＭａｘ値を超過しているため、ステップＳ２５において、既走査ライン以降のＥＬ素子の発光を停止させるため、ゲイン（Ｇａｉｎ）に“Ｌ（黒マスクレベル）”をセットする。そして、ステップＳ２６において、セットされたゲイン（Ｇａｉｎ）を電力リミット部１０に出力し、電力リミット処理に反映させる。
【００５６】
LimitMaxFlgが“Ｈ”でない場合（Ｓ４でＮＯ）は、前ステップで設定されたゲイン（Ｇａｉｎ）は変更せずに、そして、ステップＳ２６において、セットされたゲイン（Ｇａｉｎ）を電力リミット部１０に出力し、電力リミット処理に反映させる。
【００５７】
ステップＳ２７において、輝度コントロール部１１はセット側から入力された映像入力データＲＧＢ＿ｉｎに対してゲイン（Ｇａｉｎ）を乗算する。
【００５８】
以上説明した電力リミット部１０及び輝度コントロール部１１の動作によれば、前回のフレームの表示に要した電力に基づいて選定されたＧａｉｎ（１以下の値）を用いて今回のフレームで表示する映像の輝度を変更するため、今回のフレームにおいて電力リミットＭｉｎ値を超えることを抑制することができる。さらに、リアルタイムで表示電力を監視し、リアルタイム電力がリミットＭｉｎ値以上となる場合には電力の増加を抑制するように表示されるデータの輝度を制御する。さらにリアルタイム電力が電力リミットＭａｘ値を超過する場合には既走査ライン以降のＥＬ素子の発光を停止させる。
【００５９】
このような動作によって、セット側の電源供給能力に合わせた消費電力で表示動作を制御することができる。
【００６０】
図９は、第１の実施の形態の表示装置における電力リミット機能の動作タイミングを示す図である。
【００６１】
電力リミット機能は２つのルートで構成されている。第１のルートでは、セット側から入力された１ラインの映像入力データは積算され、１ライン毎に電力に換算されリミット値と比較して次のラインのデータに乗算するゲインを算出する。これと並行して実施される第２のルートでは、１フレーム前の映像入力データを積算した電力からゲインを算出する。求めたゲインは、次のフレームの映像入力データに乗算して、次のフレームの映像表示データとして用いられる。
【００６２】
［第２の実施の形態］  
第２の実施の形態では、第１の実施の形態の図６で説明したリアルタイム電力に基づく電力リミット制御のみを実行し、前フレーム電力に基づく次フレーム電力リミット制御を実行しない点で第１の実施の形態と異なっている。第１の実施の形態と同一又は同様の機能を奏する部位には同一の符号を付してその詳細の説明は省略する。
【００６３】
第２の実施の形態では、図５のステップＳ０５、Ｓ０６を実行せず、Gain_next（次フレームのゲイン）＝１と固定する。これによって、リアルタイム電力に基づく電力リミット制御のみを実行することができる。
【００６４】
上述のいくつかの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６５】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００６６】
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６７】
ＤＰ…表示パネル、ＣＮＴＬ…コントローラ、ＳＧ…ゲート線、ＳＬ…信号線、ＳＳＴ…画素スイッチ、ＤＲＴ…駆動トランジスタ、Ｃｓ…補助容量、Ｐｖｄｄ…高電位電源、Ｐｖｓｓ…低電位電源、ＲＧＢ＿ｉｎ…映像入力データ、ＲＧＢ＿ｏｕｔ…映像出力データ、１０…電力リミット部、１１…輝度コントロール部、２０…制御定数テーブル、２１…電力メモリ。
【図１】
2015087709.tif 000003
【図２】
2015087709.tif 000004
【図３】
2015087709.tif 000005
【図４】
2015087709.tif 000006
【図５】
2015087709.tif 000007
【図６】
2015087709.tif 000008
【図７】
2015087709.tif 000009
【図８】
2015087709.tif 000010
【図９】
2015087709.tif 000011